【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
可逆性の割出し可能な切削インサート（２０）であって、
連続周囲面（２４）によって相互に接続される反対側の第１および第２の端面（２２）であって、正中面（Ｍ）が前記第１および第２の端面（２２）の間に配置され、前記周囲面（２４）と交差してインサート境界線（Ｌｂ）を形成する第１および第２の端面（２２）と、前記正中面（Ｍ）に対し垂直なインサート軸（Ａ１）であってその周りで前記切削インサート（２０）が割出し可能なインサート軸（Ａ１）と、を含み、
前記周囲面（２４）が、少なくとも３つのコーナー面（２８）と交互に存在する少なくとも３つの側面（２６）を含み、各コーナー面（２８）が前記インサート軸（Ａ１）を含むコーナー二等分面（Ｐｃ）を有し、
前記側面（２６）およびコーナー面（２８）が、それぞれ側縁部（４０）およびコーナー縁部（４２）で、前記第１および第２の端面（２２）の両方と交差し、各側縁部（４０）が主切れ刃（４４）を有し、および各コーナー縁部（４２）がコーナー切れ刃（４６）および副切れ刃（４８）を有し、
前記切削インサート（２０）の側面図において、各主切れ刃（４４）および副切れ刃（４８）が、その相互に関連するコーナー切れ刃（４６）のそれぞれ第１の終点（Ｅ１）および第２の終点（Ｅ２）から、前記正中面（Ｍ）に向かって傾斜し、
前記正中面（Ｍ）に対し垂直に延在し、かつ前記コーナー切れ刃（４６）のいずれか１つと、前記第２の終点（Ｅ２）を除くその長さに沿ったいずれかの点で交差する第１の仮想直線（Ｌ１）が、前記インサート境界線（Ｌｂ）の内側で前記正中面（Ｍ）を通過する、可逆性の割出し可能な切削インサート（２０）。
【請求項２】
前記少なくとも３つの側面（２６）およびコーナー面（２８）が、それぞれ側部中間領域（３２）およびコーナー中間領域（３４）を有し、
前記側部中間領域（３２）およびコーナー中間領域（３４）が、前記正中面（Ｍ）に対し垂直に延在する連続周囲中間領域（３６）を形成する、請求項１に記載の切削インサート（２０）。
【請求項３】
前記周囲中間領域（３６）が前記正中面（Ｍ）の周りで鏡面対称を示す、請求項２に記載の切削インサート（２０）。
【請求項４】
各側部中間領域（３２）が平坦である、請求項２または３に記載の切削インサート（２０）。
【請求項５】
各側部中間領域（３２）が、隣接するコーナー面（２８）の前記コーナー二等分面（Ｐｃ）と第１の二等分角度（α１）を形成し、
前記第１の二等分角度（α１）が３０°である、請求項４に記載の切削インサート（２０）。
【請求項６】
各コーナー中間領域（３４）が、その関連するコーナー二等分面（Ｐｃ）の周りで鏡面対称を示す、請求項２〜５のいずれか一項に記載の切削インサート（２０）。
【請求項７】
各コーナー面（２８）が、同じコーナー中間領域（３４）から、反対の軸方向において、それらの各コーナー切れ刃（４６）まで延在する２つの部分的に円錐状のコーナー逃げ面（５２）を含む、請求項２〜６のいずれか一項に記載の切削インサート（２０）。
【請求項８】
各コーナー面（２８）が、同じコーナー中間領域（３４）から、反対の軸方向において、それらの各副切れ刃（４８）まで延在する２つの平坦な副逃げ面（５４）を含む、請求項２〜７のいずれか一項に記載の切削インサート（２０）。
【請求項９】
各副逃げ面（５４）が、その隣接する側面（２６）から、平坦でない接続面（６８）によって離間される、請求項８に記載の切削インサート（２０）。
【請求項１０】
各副逃げ面（５４）が前記正中面（Ｍ）に対して垂直である、請求項８または９に記載の切削インサート（２０）。
【請求項１１】
各副逃げ面（５４）が、その関連するコーナー二等分面（Ｐｃ）と第２の二等分角度（α２）を形成し、
前記第２の二等分角度（α２）が６０°〜８０°である、請求項１０に記載の切削インサート（２０）。
【請求項１２】
各コーナー切れ刃（４６）が、その関連するコーナー二等分面（Ｐｃ）と交差し、
その第１の終点（Ｅ１）および第２の終点（Ｅ２）が、前記コーナー二等分面（Ｐｃ）の反対側に配置される、請求項１〜１１のいずれか一項に記載の切削インサート（２０）。
【請求項１３】
前記切削インサート（２０）の端面において、各コーナー切れ刃（４６）が湾曲し、各副切れ刃（４８）が直線である、請求項１〜１２のいずれか一項に記載の切削インサート（２０）。
【請求項１４】
前記正中面（Ｍ）に対して垂直に延在し、かつ前記主切れ刃（４４）のいずれか１つとその長さに沿ったいずれかの点で交差する第２の仮想直線（Ｌ２）が、前記インサート境界線（Ｌｂ）の内側で前記正中面（Ｍ）を通過する、請求項１〜１３のいずれか一項に記載の切削インサート（２０）。
【請求項１５】
前記副切れ刃（４８）の端面を前記正中面（Ｍ）に投影した図において、各副切れ刃（４８）が前記インサート境界線（Ｌｂ）と一致する、請求項１〜１４のいずれか一項に記載の切削インサート（２０）。
【請求項１６】
前記周囲面（２４）が、ちょうど３つのコーナー面（２８）と交互に存在するちょうど３つの側面（２６）を有し、
前記切削インサート（２０）が前記インサート軸（Ａ１）の周りで３回回転対称を示す、請求項１〜１５のいずれか一項に記載の切削インサート（２０）。
【請求項１７】
横軸（Ａ２）が各側面（２６）を横切って延在し、
各側面（２６）が、その関連する横軸（Ａ２）の周りで２回回転対称を示す、請求項１〜１６のいずれか一項に記載の切削インサート（２０）。
【請求項１８】
各主切れ刃（４４）が、前記インサート軸（Ａ１）およびその関連する横軸（Ａ２）を含む側部二等分面（Ｐｓ）と交差する、請求項１７に記載の切削インサート（２０）。
【請求項１９】
前記切削インサート（２０）の端面において、前記切削インサート（２０）が等辺三角形の基本形状を有する、請求項１〜１８のいずれか一項に記載の切削インサート（２０）。
【請求項２０】
工具軸（Ａ３）の周りを回転可能な切削工具（５８）であって、切削本体（６０）および少なくとも１つの可逆性の割出し可能な切削インサート（２０）を含み、各切削インサート（２０）が前記切削本体（６０）のインサート受入れポケット（６２）の中に取外し可能に固定され、各切削インサート（２０）が、
連続周囲面（２４）によって相互に接続される反対側の第１および第２の端面（２２）であって、正中面（Ｍ）が前記第１および第２の端面（２２）の間に配置され、前記周囲面（２４）と交差してインサート境界線（Ｌｂ）を形成する第１および第２の端面（２２）と、前記正中面（Ｍ）に対し垂直なインサート軸（Ａ１）であってその周りで前記切削インサート（２０）が割出し可能なインサート軸（Ａ１）と、を含み、
前記周囲面（２４）が、少なくとも３つのコーナー面（２８）と交互に存在する少なくとも３つの側面（２６）を含み、各コーナー面（２８）が前記インサート軸（Ａ１）を含むコーナー二等分面（Ｐｃ）を有し、
前記側面（２６）およびコーナー面（２８）が、それぞれ側縁部（４０）およびコーナー縁部（４２）で、前記第１および第２の端面（２２）の両方と交差し、各側縁部（４０）が主切れ刃（４４）を有し、および各コーナー縁部（４２）がコーナー切れ刃（４６）および副切れ刃（４８）を有し、
前記切削インサート（２０）の側面図において、各主切れ刃（４４）および副切れ刃（４８）が、その相互に関連するコーナー切れ刃（４６）のそれぞれ第１の終点（Ｅ１）および第２の終点（Ｅ２）から、前記正中面（Ｍ）に向かって傾斜し、
前記正中面（Ｍ）に対し垂直に延在し、かつ前記コーナー切れ刃（４６）のいずれか１つと、前記第２の終点（Ｅ２）を除くその長さに沿ったいずれかの点で交差する第１の仮想直線（Ｌ１）が、前記インサート境界線（Ｌｂ）の内側で前記正中面（Ｍ）を通過する、切削工具（５８）。
【請求項２１】
各切削インサート（２０）は、稼働する前記主切れ刃（４４）、コーナー切れ刃（４６）および副切れ刃（４８）が、工作物において直角の肩を削るフライス作業を実行できるように構成される、請求項２０に記載の切削工具（５８）。
【請求項２２】
各側縁部（４０）が、その関連する主切れ刃（４４）から、隣接するコーナー切れ刃（４２）に属する隣接する副切れ刃（４８）に向かって延在する補助切れ刃（６６）を含み、
各切削インサート（２０）は、前記稼働する副切れ刃（４８）に隣接する前記補助切れ刃（６６）がランピング作業の間稼働するように構成される、請求項２０または２１に記載の切削工具（５８）。
【請求項２３】
各切削インサート（２０）は、稼働する前記主切れ刃（４４）が正の軸方向すくい角（β）を有し、稼働する前記副切れ刃（４８）が正の半径方向すくい角（θ）を有するように構成される、請求項２０〜２２のいずれか一項に記載の切削工具（５８）。
【請求項２４】
各切削インサート（２０）は、前記切削工具（５８）がその工具軸（Ａ３）の周りを回転する間、稼働する前記コーナー切れ刃（４６）が、前記工具軸（Ａ３）を含む半径方向面（Ｐｒ）に円弧状の第１外形線（Ｃ１）を刻み込むように構成され、
前記第１外形線（Ｃ１）が、９０°のコーナー切削角度（δ）に対して一定の曲率半径（Ｒ）を有する、請求項２０〜２３のいずれか一項に記載の切削工具（５８）。